(57)【特許請求の範囲】
【請求項１】
発芽および成育阻害物質を含む炭素率の大きい（Ｃ／Ｎ≧１００）ウッドチップ等の木質系材料から成る有機物を、上記発芽および成育阻害物質を含まない炭素率の小さい（Ｃ／Ｎ＝１０〜７０）ビール粕や堆肥から成る有機物と混合して成ることを特徴とする緑化基層用資材。
【請求項２】
上記両有機物と共に、土、種子、水を混合して成ることを特徴とする請求項１に記載の緑化基層用資材。
【請求項３】
上記請求項１または２に記載の緑化基層用資材を、緑化を要する土壌に施用することを特徴とする緑化基層工法。
【発明の詳細な説明】
【０００１】
【発明の属する技術分野】
本発明は、木質系材料などの有機物を用いた緑化基層用資材および緑化基層工法に関する。
【０００２】
【従来の技術】
近年の環境重視の傾向の中で、大量かつ安価に入手することができる間伐材などの木質系材料の有効利用の方策が模索されている。
一般に、ウッドチップやオガクズなどの木質系材料は、植物の発芽や成育を阻害する物質（以下、発芽等阻害物質という）、例えば、クマル酸などを多量に含むため、河川の護岸工事あるいは、切り土や盛り土の法面工事、ゴルフ場や公園の造成工事など緑化を必要とする土壌（緑化基層）には、施用（散布したり混合撹拌）することはできない。そして、緑化しない表土は、雨などで流失する恐れがある。
【０００３】
従来、ウッドチップやオガクズなどの木質系材料を利用する場合、これを完全にコンポスト化（完熟）し、土、種子、水を混合して表土に散布していた。
しかしながら、木質系材料にはセルロースやリグニンが多量に含まれているため、窒素の有機化速度が遅く、さらに有機化窒素の無機化も遅れ、堆肥として効果が現れるまでに３〜４年程度の期間を要する等の問題点があった。
【０００４】
【発明が解決しようとする課題】
本発明は、上記従来の問題点を解決するためになされたもので、その目的とするところは、特に、ウッドチップやオガクズなどの木質系材料を有効利用することができ、しかも、植物の発芽や成育を向上せしめることができる緑化基層用資材および緑化基層工法を提供するにある。
【０００５】
【課題を解決するための手段】
本発明の緑化基層用資材は、発芽および成育阻害物質を含む炭素率の大きい（Ｃ／Ｎ≧１００）ウッドチップ等の木質系材料から成る有機物を、上記発芽および成育阻害物質を含まない炭素率の小さい（Ｃ／Ｎ＝１０〜７０）ビール粕や堆肥から成る有機物と混合して成ることを特徴とする。また、上記両有機物と共に、土、種子、水を混合して成ることを特徴とする。
【０００６】
また、本発明の緑化基層工法は、上記緑化基層用資材を、緑化を要する土壌に施用することを特徴とするものである。
【０００７】
【発明の実施の形態】
以下、本発明の実施の形態について、図面を参照しながら説明する。
図１において、１は、ウッドチップやオガクズなどの木質系材料のような炭素量が窒素量に比べて多い、すなわち炭素率の大きい（炭素率Ｃ／Ｎ＝１００以上）有機物である。木質系材料としては、例えば、スギ、ヒノキ、アカマツ、カラマツ、トドマツ、米マツ、エゾマツ、クリ、ケヤキ、コナラ、ブナなどの木材（樹皮も含む）が挙げられる。木質系材料の形態としては、チップあるいはオガクズ等のように、土との混合に適した形態であればいずれでもよい。使用するウッドチップとしては、１〜３ケ月程度放置して、コンポスト化まで至らない半熟成状態のものが好ましい。また、炭素率の大きい有機物として、上記木質系材料の他に、ライ麦稈、大麦稈、ハダカ麦稈、小麦稈などであってもよい。表１に各種材料の炭素率の例を示す。
【０００８】
２は、ビール粕などの炭素量が窒素量に比べて少ない、すなわち炭素率の小さい（炭素率Ｃ／Ｎ＝１０〜７０）有機物である。この炭素率の小さい有機物は、分解が早くて、植物の発芽や成育を阻害する物質も分解し、その影響を低減する役割を果たす。表１に堆肥、ビール粕の炭素率の例を示す。
【０００９】
【表１】
0004540168.tif 000002
【００１０】
３は、土、種子、水などである。土としては、上記木質系材料やビール粕などの有機物を分解する土壌微生物に富んだ土が好ましいが、これらの土壌微生物を別途添加してもよい。木質系材料などの炭素率の大きい有機物の分解に関与する土壌微生物としては、例えば、Bacillus agglomeratus, Bacillus megaterium, Bacillus cereus, Agrobaterium radiobacter, Escherihia coli, Bacillus polymyxa, hromobacterium sp などのバクテリアが挙げられるがこれらの微生物に限定するものではない。また、ビール粕などの炭素率の小さい有機物の分解に寄与する微生物としては、例えば、Streptomyces albus , leucothrix mucor が挙げられるがこれらの微生物に限定するものではない。種子としては、例えば、河川堤防などの法面では野芝の種子、ゴルフ場などでは高麗芝の種子などがが挙げられるが、これらの種子に限定するものではない。水は、施工する土に合わせてその量を調節する（目安としては５５〜６０％程度が適当である）。水質としてｐＨなど特に限定する必要はない。水の役割としては、吹き付け時の流動性、有機物分解の微生物活動に寄与しているだけでなく、植物の育成にも不可欠である。
【００１１】
以上の炭素率の大きい有機物１と、炭素率の小さい有機物２と、土・種子・水３を混合撹拌して緑化基層用資材を製造する。この緑化基層用資材は、原則として、施工直前に混合するのが望ましいが、保存も可能である。ただし、種子が混入している場合には、室温で２〜３週間程度の保存が限度で、それ以上は発芽する恐れがある。従って、本緑化基層用資材は、特に種子を混入しなければ、それ自体、商品として流通に供することが可能である。
【００１２】
以上のようにして製造された緑化基層用資材を、緑化しようとする表土に散布して混合撹拌して施用し、緑化基層４を造成する。緑化基層用資材の施用深さとしては、緑化する植物によって異なるが、植生基盤として７ｃｍ程度の表層散布が好ましいが、２〜３ｃｍから数十ｃｍまでの範囲が可能である。。
【００１３】
上記緑化基層４においては、バクテリアの増殖が速く、上記発芽および成育阻害物質を低減せしめる。その結果、上記混合された種子が発芽して成育する。初期には、炭素率の小さい有機物が分解して堆肥化され、長期には、炭素率の大きい有機物が分解されて堆肥となり、全体として、長期間に亘って良質の緑化基層となる。
【００１４】
図２は、炭素率（Ｃ／Ｎ）１０のみの有機物の分解度と、炭素率１００のみの有機物の分解度と、これらを混合した本発明の混合資材の分解度を比較説明するもので、これにより、本発明の混合資材による改善効果が確認される。
【００１５】
【発明の効果】
１）阻害物質の影響を低減せしめることができ、植物の発芽および成育を向上させることができる。
２）ウッドチップやオガクズなどの木質系材料を有効利用することができる。
３）すべて天然の材料を使用し、薬剤を使用しないので、安全で環境汚染を生じる恐れがない。
４）緑化培土としての非常に肥沃土の高い土壌が得られる。
５）河川の護岸工事、切り土や盛り土の法面緑化工事、ゴルフ場や公園の造成工事などの用途がある。
【図面の簡単な説明】
【図１】本発明の要部を説明する概念図である。
【図２】炭素率Ｃ／Ｎの大小による木質系材料の分解度の経年変化を説明するグラフである。
【符号の説明】
１  炭素率の大きい有機物
２  炭素率の小さい有機物
３  土、種子、水
４  緑化基層
【図１】
0004540168.tif 000003
【図２】
0004540168.tif 000004